(57)【要約】【課題】イタリック表記などの斜めに傾いた表示においても文字等を鮮明な画像として認識できるとともに、エリアカラー表示の場合は、エリアによって表記する文字情報の文字から伝わる印象を変えることができる情報表示用パネルおよびそれを用いた電子ＰＯＰ、電子棚札を提供する。【解決手段】少なくとも光学的反射率および帯電性を有する粒子を含んだ粒子群として構成した、少なくとも光学的反射率および帯電特性が互いに異なる、少なくとも２種類の表示媒体を、パネル基板間に隔壁で囲んで形成した複数のセルのそれぞれに配置し、２枚のパネル基板の双方に設けた電極が互いに対向して形成する対電極間に形成した電界で反転駆動させて情報画像を表示する情報表示用パネルにおいて、表示画面全体を縦方向または横方向のいずれかで分割した少なくとも２表示領域で構成するとともに、それぞれの表示領域に配置する画素ドットの形状が異なるように構成する。【選択図】図１２
2010160251.tif 000002
【特許請求の範囲】
【請求項１】
少なくとも光学的反射率および帯電性を有する粒子を含んだ粒子群として構成した、少なくとも光学的反射率および帯電特性が互いに異なる、少なくとも２種類の表示媒体を、パネル基板間に隔壁で囲んで形成した複数のセルのそれぞれに配置し、２枚のパネル基板の双方に設けた電極が互いに対向して形成する対電極間に形成した電界で反転駆動させて情報画像を表示する情報表示用パネルにおいて、表示画面全体を縦方向または横方向のいずれかで分割した少なくとも２表示領域で構成するとともに、それぞれの表示領域に配置する画素ドットの形状が異なるようにしたことを特徴とする情報表示用パネル。
【請求項２】
前記それぞれの表示領域に配置されたセル内に封入された少なくとも２種類の表示媒体の組み合わせを異なる色の組み合せとして、それぞれの表示領域で異なる表示色が得られるようにしたことを特徴とする請求項１に記載の情報表示用パネル。
【請求項３】
前記それぞれの表示領域に配置された画素ドットの形状が四角形であって、他の表示領域に配置された四角形の画素ドットとは対向する辺のうち一組の辺の長さが同じで、もう一組の辺の長さが異なるように構成したことを特徴とする請求項１または２に記載の情報表示用パネル。
【請求項４】
前記それぞれの表示領域に配置された画素ドットの形状が四角形であって、一方の表示領域の画素ドットが正方形または長方形であって、もう一方の表示領域の画素ドットの形状がひし形または平行四辺形であるように構成したことを特徴とする請求項１または２に記載の情報表示用パネル。
【請求項５】
セル形状と画素ドットの形状とを同じにし、画素ドットを囲むように隔壁を形成したことを特徴とする請求項１〜４のいずれか１項に記載の情報表示用パネル。
【請求項６】
請求項１〜５のいずれか１項に記載した情報表示用パネルを用いて情報表示ボードとしたことを特徴とする電子ＰＯＰ。
【請求項７】
請求項１〜５のいずれか１項に記載した情報表示用パネルを用いて情報表示ボードとしたことを特徴とする電子棚札。
【発明の詳細な説明】
【技術分野】
【０００１】
本発明は、少なくとも光学的反射率および帯電性を有する粒子を含んだ粒子群として構成した、少なくとも光学的反射率および帯電特性が互いに異なる、少なくとも２種類の表示媒体を、パネル基板間に隔壁で囲んで形成した複数のセルのそれぞれに配置し、２枚のパネル基板の双方に設けた電極が互いに対向して形成する対電極間に形成した電界で反転駆動させて画像等の情報表示を行う情報表示用パネルに関し、特に、パッシブ駆動やアクティブ駆動でドットマトリックス表示を行う情報表示用パネルおよびそれを用いた電子ＰＯＰ、電子棚札に関するものである。
【背景技術】
【０００２】
従来、帯電性粒子を含んだ粒子群を表示媒体として駆動させる帯電粒子移動型情報表示用パネルとして、パネル基板間を隔壁で仕切って構成し、その隔壁で囲まれた小部屋（セル）内に、少なくとも光学的反射率および帯電性を有する粒子を含んだ粒子群として構成した、少なくとも光学的反射率および帯電特性が互いに異なる、少なくとも２種類の表示媒体を封入し、基板に設けた対電極間に電界を形成して表示媒体を移動させて画像等の情報を表示する情報表示用パネルが知られている。
【０００３】
また、少なくとも光学的反射率および帯電性を有する粒子を含んだ粒子群として構成した、少なくとも光学的反射率および帯電特性が互いに異なる、少なくとも２種類の表示媒体として、色と帯電極性とが異なる２種類の表示媒体粒子群の組み合せを１つのセル内に封入し、また、色と帯電極性とが異なる別の２種類の表示媒体粒子群の組み合せを１つのセル内に封入し、互いに別の表示媒体粒子群の組み合せが封入されてなるセルは別々のセル群として集めて、表示画面を複数に分割した領域（エリア）ごとに配置してエリアカラー表示を行う方式の情報表示用パネルも知られている（例えば、特許文献１参照）。
【先行技術文献】
【特許文献】
【０００４】
【特許文献１】特開２００５−３０１０３０号公報
【発明の概要】
【発明が解決しようとする課題】
【０００５】
図１７（ａ）、（ｂ）はそれぞれ従来の情報表示用パネルの問題点を説明するための図である。ドットマトリックス表示方式のパネルでは、図１７（ａ）、（ｂ）に示すように、画面全体に四角形の画素（ドット）がマトリックス配置されている。ここでは正方形の画素ドットを示すが、長方形の画素ドットとすることもある。この場合、例えばアラビア数字の「１」を正規に表現する場合は、図１７（ａ）に示すように、四角形ドットが一列に並んだ状態で「１」が表記されるので、鮮明な画像として「１」を認識できる。しかしながら、イタリック表記（斜体表記）で表現する場合は、図１７（ｂ）に示すように、四角形ドットが斜め一列に並んだ状態で「１」が表記されるので、鮮明な画像として「１」を認識できない問題があった。
【０００６】
また、画面を複数の表示エリアに分割して、それぞれのエリアで異なるカラー表示を行うエリアカラー表示方式の表示パネルにおいても、エリアによって表示色が異なるだけで、ドットとなる画素形状や画素サイズは同じに構成されているため、エリアによって表記する文字情報の文字から伝わる印象を変えるような表示はできない問題があった。
【０００７】
本発明の目的は上述した問題点を解消して、イタリック表記などの斜めに傾いた表示においても文字等を鮮明な画像として認識できるとともに、エリアカラー表示の場合は、エリアによって表記する文字情報の文字から伝わる印象を変えることができる情報表示用パネルおよびそれを用いた電子ＰＯＰ、電子棚札を提供しようとするものである。
【課題を解決するための手段】
【０００８】
本発明の情報表示用パネルは、少なくとも光学的反射率および帯電性を有する粒子を含んだ粒子群として構成した、少なくとも光学的反射率および帯電特性が互いに異なる、少なくとも２種類の表示媒体を、パネル基板間に隔壁で囲んで形成した複数のセルのそれぞれに配置し、２枚のパネル基板の双方に設けた電極が互いに対向して形成する対電極間に形成した電界で反転駆動させて情報画像を表示する情報表示用パネルにおいて、表示画面全体を縦方向または横方向のいずれかで分割した少なくとも２表示領域で構成するとともに、それぞれの表示領域に配置する画素ドットの形状が異なるようにしたことを特徴とするものである。
【０００９】
また、本発明の情報表示用パネルの好適例としては、前記それぞれの表示領域に配置されたセル内に封入された少なくとも２種類の表示媒体の組み合わせを異なる色の組み合せとして、それぞれの表示領域で異なる表示色が得られるようにしたこと、前記それぞれの表示領域に配置された画素ドットの形状が四角形であって、他の表示領域に配置された四角形の画素ドットとは対向する辺のうち一組の辺の長さが同じで、もう一組の辺の長さが異なるように構成したこと、前記それぞれの表示領域に配置された画素ドットの形状が四角形であって、一方の表示領域の画素ドットの形状が正方形または長方形であって、もう一方の表示領域の画素ドットがひし形または平行四辺形であるように構成したこと、セル形状と画素ドットの形状とを同じにし、画素ドットを囲むように隔壁を形成したこと、がある。
【００１０】
さらに、本発明の電子ＰＯＰおよび電子棚札は、上述した情報表示用パネルを用いて情報表示ボードとしたことを特徴とするものである。
【発明の効果】
【００１１】
本発明によれば、少なくとも光学的反射率および帯電性を有する粒子を含んだ粒子群として構成した、少なくとも光学的反射率および帯電特性が互いに異なる、少なくとも２種類の表示媒体を、パネル基板間に隔壁で囲んで形成した複数のセルのそれぞれに配置し、２枚のパネル基板の双方に設けた電極が互いに対向して形成する対電極間に形成した電界で反転駆動させて画像等の情報表示を行う情報表示用パネルにおいて、表示画面全体を縦方向または横方向のいずれかで分割した少なくとも２表示領域で構成するとともに、それぞれの表示領域に配置する画素ドットの形状が異なるようにしたので、１画面上で少なくとも２種類の表示バリエーションが取れるドットマトリックス型の情報表示用パネルが得られる。
【００１２】
また、分割して構成した少なくとも２表示領域に配置したセル内に封入された少なくとも２種類の表示媒体の組み合わせを異なる色の組み合せとし、それぞれの表示領域で異なる表示色が得られるようにしたので、表示色と画素ドットの形状との組み合せにおいて表示バリエーションに富んだドットマトリックス型の情報表示用パネルが得られる。
【図面の簡単な説明】
【００１３】
【図１】（ａ）、（ｂ）はそれぞれ本発明の対象となる情報表示用パネルの構成の一例を説明するための図である。
【図２】（ａ）、（ｂ）はそれぞれ本発明の対象となる情報表示用パネルの構成の他の例を説明するための図である。
【図３】（ａ）〜（ｄ）はそれぞれ本発明の情報表示用パネルにおける駆動方式と表示方式を説明するための図である。
【図４】本発明の情報表示用パネルにおける表示領域の構成の一具体例を説明するための図である。
【図５】本発明の情報表示用パネルにおける表示領域の構成の他の具体例を説明するための図である。
【図６】本発明の情報表示用パネルにおける表示領域の構成のさらに他の具体例を説明するための図である。
【図７】本発明の情報表示用パネルにおける表示領域の構成のさらに他の具体例を説明するための図である。
【図８】本発明の情報表示用パネルの一概念を説明するための図である。
【図９】本発明の情報表示用パネルの第１のパネル構成例を説明するための図である。
【図１０】本発明の情報表示用パネルの第２のパネル構成例を説明するための図である。
【図１１】本発明の情報表示用パネルの第３のパネル構成例を説明するための図である。
【図１２】本発明の情報表示用パネルの第４のパネル構成例を説明するための図である。
【図１３】本発明の情報表示用パネルを電子ＰＯＰに応用した例を説明するための図である。
【図１４】（ａ）〜（ｄ）はそれぞれ本発明の情報表示用パネルを電子棚札に応用した例を説明するための図である。
【図１５】（ａ）〜（ｄ）はそれぞれ本発明の情報表示用パネルにおけるセルと画素の配置例の一例を説明するための図である。
【図１６】（ａ）〜（ｄ）はそれぞれ本発明の情報表示用パネルにおけるセルと画素の配置例の他の例を説明するための図である。
【図１７】（ａ）、（ｂ）はそれぞれ従来の情報表示用パネルの問題点を説明するための図である。
【発明を実施するための形態】
【００１４】
まず、本発明の対象となる情報表示用パネルの構成について説明する。本発明の対象となる情報表示用パネルでは、対向する２枚の基板間に封入した帯電性粒子を含んだ粒子群として構成した表示媒体に電界が付与される。付与された電界方向に沿って、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示情報を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１５】
本発明の対象となる情報表示用パネルの例を、図１（ａ）、（ｂ）〜図２（ａ）、（ｂ）に基づき説明する。
【００１６】
図１（ａ）、（ｂ）に示す例では、少なくとも光学的反射率および帯電性を有する粒子を含んだ粒子群として構成した光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ＴＦＴ付き画素電極）と基板２に設けた電極６（共通電極）とが対向して形成する画素電極対に電圧を印加することにより発生する電界に応じて、基板１、２と垂直に移動させる。そして、図１（ａ）に示すように白色表示媒体３Ｗを観察者に視認させて白色表示を、あるいは、図１（ｂ）に示すように黒色表示媒体３Ｂを観察者に視認させて黒色表示を、白黒のドットでマトリックス表示している。なお、図１（ａ）、（ｂ）において、手前にある隔壁は省略している。
【００１７】
図２（ａ）、（ｂ）に示す例では、少なくとも光学的反射率および帯電性を有する粒子を含んだ粒子群として構成した光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板２に設けたライン電極６と基板１に設けたライン電極５とが対向直交交差して形成する画素電極対に電圧を印加することにより発生する電界に応じて、基板１、２と垂直に移動させる。そして、図２（ａ）に示すように白色表示媒体３Ｗを観察者に視認させて白色表示を、あるいは、図２（ｂ）に示すように黒色表示媒体３Ｂを観察者に視認させて黒色表示を、白黒のドットでマトリックス表示している。なお、図２（ａ）、（ｂ）において、手前にある隔壁は省略している。
【００１８】
本発明の情報表示用パネルの特徴は、上述した構造の情報表示用パネルを基本として、表示画面全体を縦方向または横方向のいずれかで分割した少なくとも２表示領域で構成するとともに、それぞれの表示領域に配置する画素ドットの形状が異なるようにした点にある。
【００１９】
なお、本発明の情報表示用パネルの駆動方法は、パッシブ駆動方式およびアクティブ駆動方式のいずれでもよい。パッシブ駆動の場合には、ライン電極を形成した２枚の基板を、ライン電極が交差するように対向させた電極の重なり部分で画素（ドット）を構成する。直交交差するように対向させて正方形または長方形ドットを形成したり、斜めに交差させてひし形または平行四辺形ドットを形成したりする。対向させるライン電極の幅を、表示領域ごとに変えれば、表示領域ごとに画素サイズの異なる四角形ドットとすることもできる。アクティブ駆動の場合には、ＴＦＴ付きで構成する画素電極の形状を制御して、本発明の画素形状の電極対とすることができる。
【００２０】
図３（ａ）〜（ｄ）はそれぞれ本発明の情報表示用パネルにおける駆動方式と表示方式を説明するための図である。図３（ａ）に示す例では、直交するライン電極５、６からなるパッシブマトリックス方式のパネルにおける画素（ピクセル）配置の例を示している。図３（ｂ）に示す例では、同じくパッシブマトリックス方式のパネルにおいて、例えば白赤ドットマトリックス表示の表示領域１と例えば白黒ドットマトリックス表示の表示領域２とからなるエリアカラー表示の例を示している。図３（ｃ）に示す例では、共通電極６ＴＦＴ付き画素用電極５との各対電極を駆動するアクティブマトリックス方式のパネルにおける画素（ピクセル）配置の例を示している。図３（ｄ）に示す例では、同じくアクティブマトリックス方式のパネルにおいて、例えば黄赤ドットマトリックス表示の表示領域１と例えば黄黒ドットマトリックス表示の表示領域２とからなるエリアカラー表示の例を示している。
【００２１】
図４〜図７はそれぞれ本発明の情報表示用パネルにおけるエリア別カラー表示の具体例を説明するための図である。なお、図４〜図７に示す例において、図１（ａ）、（ｂ）および図２（ａ）、（ｂ）に示す例と同一の部材には同一の符号を付し、その説明を省略する。
【００２２】
図４はライン電極５、６を用いるパッシブマトリックス駆動のパネルにおいて、表示画面を上下２段のエリアに分割し、黒／白表示エリアと赤／白表示エリアとした例を示す。黒／白表示エリアは、正帯電性黒色粒子３Ｂａを含んだ粒子群からなる黒色表示媒体３Ｂと負帯電性白色粒子３Ｗａを含んだ粒子群からなる白色表示媒体３Ｗとを隔壁４に囲まれたセル内に充填して構成される。赤／白表示エリアは、正帯電性赤色粒子３Ｒａを含んだ粒子群からなる赤色表示媒体３Ｒと負帯電性白色粒子３Ｗａを含んだ粒子群からなる白色表示媒体３Ｗとを隔壁４に囲まれたセル内に充填して構成される。ここではセル形状と画素ドットの形状とを対応させている。
【００２３】
図５はライン電極５、６を用いるパッシブマトリックス駆動のパネルにおいて、表示画面を上下２段のエリアに分割し、黒／黄表示エリアと黒／白表示エリアとした例を示す。黒／黄表示エリアは、正帯電性黒色粒子３Ｂａを含んだ粒子群からなる黒色表示媒体３Ｂと負帯電性黄色粒子３Ｙａを含んだ粒子群からなる黄色表示媒体３Ｙとを隔壁４に囲まれたセル内に充填して構成される。黒／白表示エリアは、正帯電性黒色粒子３Ｂａを含んだ粒子群からなる黒色表示媒体３Ｂと負帯電性白色粒子３Ｗａを含んだ粒子群からなる白色表示媒体３Ｗとを隔壁４に囲まれたセル内に充填して構成される。ここではセル形状と画素ドットの形状とを対応させている。
【００２４】
図６は共通電極６およびＴＦＴ付き画素用電極５とＴＦＴとを用いるアクティブマトリックス駆動のパネルにおいて、表示画面を上下２段のエリアに分割し、黒／白表示エリアと赤／白表示エリアとした例を示す。黒／白表示エリアは、正帯電性黒色粒子３Ｂａを含んだ粒子群からなる黒色表示媒体３Ｂと負帯電性白色粒子３Ｗａを含んだ粒子群からなる白色表示媒体３Ｗとを隔壁４に囲まれたセル内に充填して構成される。赤／白表示エリアは、正帯電性赤色粒子３Ｒａを含んだ粒子群からなる赤色表示媒体３Ｒと負帯電性白色粒子３Ｗａを含んだ粒子群からなる白色表示媒体３Ｗとを隔壁４に囲まれたセル内に充填して構成される。ここではセル形状と画素ドットの形状とを対応させている。
【００２５】
図７は共通電極６およびＴＦＴ付き画素用電極５とＴＦＴとを用いるアクティブマトリックス駆動のパネルにおいて、表示画面を上下２段のエリアに分割し、黒／黄表示エリアと黒／白表示エリアとした例を示す。黒／黄表示エリアは、正帯電性黒色粒子３Ｂａを含んだ粒子群からなる黒色表示媒体３Ｂと負帯電性黄色粒子３Ｙａを含んだ粒子群からなる黄色表示媒体３Ｙとを隔壁４に囲まれたセル内に充填して構成される。黒／白表示エリアは、正帯電性黒色粒子３Ｂａを含んだ粒子群からなる黒色表示媒体３Ｂと負帯電性白色粒子３Ｗａを含んだ粒子群からなる白色表示媒体３Ｗとを隔壁４に囲まれたセル内に充填して構成される。ここではセル形状と画素ドットの形状とを対応させている。
【００２６】
図８は本発明の情報表示用パネルの一概念を説明するための図である。図８に示す例では、イタリック表記（斜体表記）で「１」を表現する場合について説明している。平行四辺形の画素ドット（ここでは対電極で示されている）が横方向には水平で縦方向には斜めとなるように、対電極５、６および隔壁４を構成している。本例では、表示する文字（ここではイタリック表記）に合わせた対電極５、６および隔壁４の配列とする。具体的には、表示する文字の傾斜と対電極５、６および隔壁４の縦方向の傾斜とを合わせている。図８に示す例では、縦方向に真っ直ぐな線は、画面では斜体で表記され、画素（ドット）ごとに位置がずれることなく斜め表記された表示が得られる。その結果、鮮明な画像としてイタリック表記の「１」を認識することができる。
【００２７】
次に、図９〜図１２を参照して、本発明の情報表示用パネルの構成例を説明する。
【００２８】
＜第１のパネル構成例＞
図９は本発明の情報表示用パネルの第１のパネル構成例を説明するための図である。図９に示す第１のパネル構成例では、３表示領域でそれぞれ数字「２」をドットマトリックス表示させた例を示しており、ここでは概要を示しているため、ライン電極の本数は実際に比較すれば極めて少ない本数で示している。
【００２９】
図９に示す第１のパネル構成例において、観察側パネル基板２には同じ幅で真っ直ぐなライン電極６を設け、背面側パネル基板１には同じ幅で、表示領域１１、１２、１３に対応した折れ線構造のライン電極５を設け、互いのライン電極５、６が交差するように２枚の基板１、２を貼り合わせて情報表示用パネルとしている。画面全体を横方向に３分割した表示領域１１、１２、１３の構成であり、各表示領域１１、１２、１３で異なる表示バリエーションが得られる。ここでは、画面上段の表示領域１１を、平行四辺形画素（ドット）とし、画素の周囲に形成した隔壁で形成したセル内に、白色表示媒体と黒色表示媒体とを組み合わせて配置した構成としている。また、画面中段の表示領域１２を、四角形画素（ドット）とし、画素の周囲に形成した隔壁で形成したセル内に、白色表示媒体と黒色表示媒体とを組み合わせて配置した構成としている。さらに、画面下段の表示領域１３を、平行四辺形画素（ドット）とし、画素の周囲に形成した隔壁で形成したセル内に、白色表示媒体と赤色表示媒体とを組み合わせて配置した構成としている。そして、画面全体に対して各表示領域に対応したパッシブ駆動でドットマトリックス表示を行うようにしている。観察側パネル基板に形成するライン電極を画面に対して縦方向の折れ線構造とし、背面側パネル基板に形成するライン電極を画面に対して横方向の直線構造とすることもできる。
【００３０】
＜第２のパネル構成例＞
図１０は本発明の情報表示用パネルの第２のパネル構成例を説明するための図である。図１０に示す第２のパネル構成例では、２表示領域でそれぞれ数字「２」をドットマトリックス表示させた例を示しており、ここでは概要を示しているため、ライン電極の本数は実際に比較すれば極めて少ない本数で示している。
【００３１】
図１０に示す第２のパネル構成例において、観察側パネル基板２には、画面上段の表示領域１１では太い幅のライン電極５を設けるとともに画面下段の表示領域１３では細い幅のライン電極５を設け、背面側パネル基板１には同じ幅のライン電極５を設け、互いのライン電極５、６が交差するように２枚の基板１、２を貼り合わせて情報表示用パネルとしている。画面全体を横方向に２分割した表示領域１１、１３の構成であり、各表示領域１１、１３で異なる表示バリエーションが得られる。ここでは、画面上段の表示領域１１を、縦長の長方形画素（ドット）とし、画素の周囲に形成した隔壁で形成したセル内に、白色表示媒体と黒色表示媒体とを組み合わせて配置した構成としている。また、画面下段の表示領域１３を、正方形画素（ドット）とし、画素の周囲に形成した隔壁で形成したセル内に、白色表示媒体と黒色表示媒体とを組み合わせて配置した構成としている。そして、画面全体に対して各表示領域に対応したパッシブ駆動でドットマトリックス表示を行うようにしている。観察側パネル基板に形成するライン電極を画面に対して縦方向の折れ線構造とし、背面側パネル基板に形成するライン電極を画面に対して横方向の直線構造とすることもできる。
【００３２】
＜第３のパネル構成例＞
図１１は本発明の情報表示用パネルの第３のパネル構成例を説明するための図である。図１１に示す第３のパネル構成例では、２表示領域でそれぞれ数字「２」をドットマトリックス表示させた例を示しており、ここでは概要を示しているため、ライン電極の本数は実際に比較すれば極めて少ない本数で示している。
【００３３】
図１１に示す第３のパネル構成例において、観察側パネル基板２には同じ幅で真っ直ぐなライン電極６を設け、背面側パネル基板１には同じ幅で、表示領域１１、１３に対応した折れ線構造のライン電極５を設け、互いにライン電極５、６が交差するように２枚の基板を対向して貼り合わせて情報表示用パネルとしている。画面全体を横方向に２分割した表示領域１１、１３の構成であり、各表示領域１１、１３で異なる表示バリエーションが得られる。ここでは、画面上段の表示領域１１を、平行四辺形画素（ドット）とし、画素の周囲に形成した隔壁で形成したセル内に、白色表示媒体および黒色表示媒体とを組み合わせて配置した構成としている。また、画面下段の表示領域１３を、四角形画素（ドット）とし、画素の周囲に形成した隔壁で形成したセル内に、白色表示媒体と黒色表示媒体とを組み合わせて配置した構成としている。そして、画面全体に対して各表示領域に対応したパッシブ駆動でドットマトリックス表示を行うようにしている。観察側パネル基板に形成するライン電極を画面に対して縦方向の折れ線構造とし、背面側パネル基板に形成するライン電極を画面に対して横方向の直線構造とすることもできる。
【００３４】
＜第４のパネル構成例＞
図１２は本発明の情報表示用パネルの第４のパネル構成例を説明するための図である。図１２に示す第４のパネル構成例では、２表示領域でそれぞれ数字「２」をドットマトリックス表示させた例を示しており、ここでは概要を示しているため、ライン電極の本数は実際に比較すれば極めて少ない本数で示している。
【００３５】
図１２に示す第４のパネル構成例において、観察側パネル基板２には同じ幅で真っ直ぐなライン電極６を設け、背面側パネル基板１には同じ幅で、表示領域１１、１３に対応した折れ線構造のライン電極５を設け、互いのライン電極５、６が交差するように２枚の基板を対向して貼り合わせて情報表示用パネルとしている。画面全体を横方向に２分割した表示領域１１、１３の構成であり、各表示領域１１、１３で異なる表示バリエーションが得られる。ここでは、画面上段の表示領域１１を、四角形画素（ドット）とし、画素の周囲に形成した隔壁で形成したセル内に、白色表示媒体と黒色表示媒体とを組み合わせて配置した構成としている。また、画面下段の表示領域１３を、平行四辺形画素（ドット）とし、画素の周囲に形成した隔壁で形成したセル内に、白色表示媒体と赤色表示媒体とを組み合わせて配置した構成としている。そして、画面全体に対して各表示領域に対応したパッシブ駆動でドットマトリックス表示を行うようにしている。観察側パネル基板に形成するライン電極を画面に対して縦方向の折れ線構造とし、背面側パネル基板に形成するライン電極を画面に対して横方向の直線構造とすることもできる。
【００３６】
次に、図１３および図１４（ａ）〜（ｄ）を参照して、本発明の情報表示用パネルを電子ＰＯＰおよび電子棚札に応用した例を説明する。
【００３７】
図１３は本発明の情報表示用パネルを電子ＰＯＰに応用した例を説明するための図である。図１３に示す例では、画面全体を左右に２分割し、表示領域１４、１５から構成している。そして、左側の表示領域１４は、各セルに白色表示媒体と黒色表示媒体を配置するとともにＲＧＢ三原色のカラーフィルターを配置してＲＧＢカラードットをマトリックス配置したカラー表示部とするとともに、ドット形状は正方形または長方形とし、カラーの情報画像を表示可能に構成している。また、右側の表示領域１５は、各セルに白色表示媒体と黒色表示媒体を配置したモノクロドットをマトリックス配置した表示部とするとともに、ドット形状は平行四辺形またはひし形とし、斜めに傾いた情報画像を表示可能に構成している。画面全体にマトリックス配置された画素ドットをパッシブ駆動させる構成としたり、アクティブ駆動させる構成としたりできる。
【００３８】
図１４（ａ）〜（ｄ）はそれぞれ本発明の情報表示用パネルを電子棚札に応用した例を説明するための図である。
【００３９】
図１４（ａ）に示す例では、画面全体を上下に２分割し、表示領域１１、１３から構成している。そして、上側の表示領域１１は、赤色表示媒体および白色表示媒体からなる赤／白ドットをマトリックス配置した赤／白表示部とするとともに、ドット形状は平行四辺形またはひし形とし、斜めに傾いた情報画像を表示可能に構成している。また、下側の表示領域１３は、黒色表示媒体および白色表示媒体からなる黒／白ドットをマトリックス配置した黒／白表示部とするとともに、ドット形状は正方形または長方形とし、通常の情報画像を表示可能に構成している。
【００４０】
図１４（ｂ）に示す例では、画面全体の上下に３分割し、表示領域１１、１２、１３から構成している。そして、上側の表示領域１１は、青色表示媒体および白色表示媒体からなる青／白ドットをマトリックス配置した青／白表示部とするとともに、ドット形状は平行四辺形またはひし形とし、斜めに傾いた情報画像を表示可能に構成している。また、中段の表示領域１２は、黒色表示媒体および白色表示媒体からなる黒／白ドットをマトリックス配置した黒／白表示部とするとともに、ドット形状は正方形または長方形とし、通常の情報画像を表示可能に構成している。さらに、下段の表示領域１３は、赤色表示媒体および白色表示媒体からなる赤／白ドットをマトリックス配置した赤／白表示部とするとともに、ドット形状は平行四辺形またはひし形とし、斜めに傾いた情報画像を表示可能に構成している。
【００４１】
図１４（ｃ）に示す例では、画面全体を上下に２分割し、表示領域１１、１３から構成している。本例では、上側の表示領域１１および下側の表示領域１３とも、黒色表示媒体および白色表示媒体からなる黒／白ドットをマトリックス配置した黒／白表示部とするとともに、ドット形状は正方形または長方形とし、通常の情報画像を表示可能に構成している。そして、表示領域１１では、表示領域１３と比べてドット形状を縦長に構成して、表示領域１３の情報画像よりも縦長の情報画像を表示可能に構成している。
【００４２】
図１４（ｄ）に示す例では、画面全体を上下に３分割し、表示領域１１、１２、１３から構成している。そして、上側の表示領域１１は、青色表示媒体および白色表示媒体からなる青／白ドットをマトリックス配置した青／白表示部とするとともに、ドット形状は正方形また長方形とし、通常の情報画像を表示可能に構成している。また、中段の表示領域１２は、黒色表示媒体および白色表示媒体からなる黒／白ドットをマトリックス配置した黒／白表示部とするとともに、ドット形状は正方形または長方形とし、通常の情報画像を表示可能に構成している。さらに、下段の表示領域１３は、赤色表示媒体および白色表示媒体からなる赤／白ドットをマトリックス配置した赤／白表示部とするとともに、ドット形状は平行四辺形またはひし形とし、斜めに傾いた情報画像を表示可能に構成している。
【００４３】
次に、本発明の情報表示用パネルを構成する各構成部材について説明する。
【００４４】
パネル基板間に設ける隔壁には、パネル基板間ギャップ確保機能と、表示媒体粒子群がパネル基板と平行な方向に移動することを抑制する機能とをもたせる。パネル基板間ギャップ確保用隔壁の幅は、２０μｍ〜１００μｍの範囲が好ましく、セル形成専用隔壁の幅は、５μｍ〜３０μｍの範囲で、できるだけ細くすることが好ましい。また、セル形成専用隔壁はパネル基板間ギャップ確保用隔壁の高さよりも低くしてもよく、表示媒体を構成する粒子群がパネル基板と平行な方向に移動することを抑制する機能を損なわない範囲とする。さらにまた、セル形成専用隔壁は双方のパネル基板の対向位置に形成し、パネル基板を貼り合わせたときに対向する構成としてもよく、この場合、対向部分を接合してもよいし接合しなくてもよい。
【００４５】
パネル基板間ギャップ確保用隔壁の形状や配置およびセル形成専用隔壁の形状や配置は画素形状および画素配置に合わせた四角形（角丸付き四角形を含む）や階段型八角形（角丸付き八角形を含む）とする。表示媒体を構成する粒子を移動しやすくできる点から角丸付きの形状が好ましい。
【００４６】
図１５（ａ）〜（ｄ）および図１６（ａ）〜（ｄ）のそれぞれに、本発明の情報表示用パネルにおけるセルと画素の配置例を示す。図１５（ａ）〜（ｄ）に示す例はセルと画素とが対応している例を示すとともに、図１６（ａ）〜（ｄ）に示す例はセルと画素とが対応していない例を示す。
【００４７】
図１５（ａ）に示す例では、四角形セルと対向ライン電極で形成した四角形画素を示している。図１５（ｂ）に示す例では、平行四辺形セルと対向ライン電極で形成した平行四辺形画素を示している。図１５（ｃ）に示す例では、階段型八角形セルと対向ライン電極で形成した四角形画素を示している。図１５（ｄ）に示す例では、階段型八角形セルと対向画素用電極で形成した四角形画素を示している。以上の例では、少なくとも２以上の表示領域を画面全体に設けた場合、すべての表示領域で、画素ドットとセルとを対応するようにした例を示す。
【００４８】
図１６（ａ）に示す例では、四角形セルと対向直交ライン電極で形成した四角形画素を示している。図１６（ｂ）に示す例では、四角形セルと対向斜め交差ライン電極で形成した平行四辺形画素を示している。図１６（ｃ）に示す例では、階段型八角形セルと対向直交ライン電極で形成した四角形画素を示している。図１６（ｄ）に示す例では、角丸付き四角形セルと対向斜め交差ライン電極で形成した平行四辺形画素を示している。以上の例では、画素ドットの形状が異なる少なくとも２以上の表示領域を画面全体に設けた場合においても、画面全体に同じ形状のセルを配置した例を示す。平行四辺形画素の表示領域や、サイズの異なる四角形画素の表示領域にも同じ形状のセルが配置されているので画素とセルとが対応しない箇所があるが、これでも構わない。
【００４９】
基板間ギャップ確保用として設ける隔壁部分や、セル形成専用の隔壁部分の形成材料としては、ドライフィルムレジスト材が好適に用いられる。一例として、アルフォＮＩＴ２（ニチゴーモートン社製）やＰＤＦ３００（新日鐵化学社製）を使用することができる。
【００５０】
形成したい隔壁部分の高さに合せた厚みのドライフィルムレジスト材をパネル基板に積層し、所定形状のフォトマスクを用いてフォトリソ法によってパターニングする。
【００５１】
パネル基板間ギャップ確保用の隔壁部分の幅は、２０μｍ〜１００μｍの範囲とし、セル形成専用の隔壁部分の幅は、５μｍ〜３０μｍの範囲とし、セル形成専用の隔壁部分の幅を、パネル基板間ギャップ確保用の隔壁部分の幅よりも小さくすると表示領域におけるセル開口率が増し表示部分が大きくなるので好ましい。
【００５２】
表示バリエーションが異なる表示領域の境界部分となるパネル基板間ギャップ確保用の隔壁部分（エリア境界隔壁）の幅は、２０μｍ〜２００μｍの範囲とし、パネル基板間ギャップ確保用の隔壁部分よりも大きくしてもよい。
【００５３】
各表示領域の境界には、セル形成とパネル基板間ギャップ確保との両機能を担う隔壁として境界隔壁を形成し、各表示領域の内側には、セル形成とパネル基板間ギャップ確保との両機能を担う隔壁およびセル形成用隔壁を形成するとともに、前記各隔壁の幅の関係が、境界隔壁の幅≧セル形成とパネル基板間ギャップ確保との両機能を担う隔壁の幅＞セル形成用隔壁の幅、とするのが好ましい。境界隔壁の幅を２０μｍ〜２００μｍの範囲で太くすることで、表示領域の境界が明確になるとともに、パネル基板との貼り合わせに用いる接着剤を幅広く配置してしっかりと接合できるようになる。また、各表示領域の内側に配置するセル形成とパネル基板間ギャップ確保との両機能を担う隔壁の幅を２０μｍ〜１００μｍの範囲とし、各表示領域の内側に配置するセル形成用隔壁の幅を５μｍ〜３０μｍの範囲とすることも好ましい。隔壁は非表示部分となるためできるだけ隔壁の幅は狭くしたいが、パネル基板間ギャップを確保するためには基板を支える必要がないので細くすることができ、実際に作製できる幅の範囲が前記範囲となる。
【００５４】
対向して配置する電極とする導電膜のうち、透明基板側に設ける電極としては、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の透明導電金属酸化物類、ポリアニリン、ポリピロール、ポリチオフェン等の透明導電性高分子類で形成した透明な導電膜が用いられる。
【００５５】
背面側基板に設ける電極とする導電膜としては、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の導電金属酸化物類、ポリアニリン、ポリピロール、ポリチオフェン等の導電性高分子類や、金、銀、銅、アルミニウム、ニッケル、クロム等の金属や、これらの金属を主成分とする合金で形成した導電膜が用いられる。背面側基板に設ける電極は透明であってもよいし、透明でなくても良い。
【００５６】
電極とする導電膜の形成方法としては、上記例示の材料をスパッタリング法、真空蒸着法、ＣＶＤ（化学蒸着）法、塗布法等で薄膜状に形成する方法や金属箔（例えば圧延銅箔）をラミネートする方法、導電剤を溶媒や合成樹脂バインダーに混合して塗布したりする方法が用いられる。パターン形成可能で導電性である上記材料を好適に用いることができる。なお、表示面側の表示領域に設ける透明導電膜の厚みは、導電性が確保でき光透過性に支障がなければ良く、０．０１〜１０μｍが好ましく、０．０５〜５μｍがより好ましい。また、背面側や表示領域以外の領域に設ける導電膜の厚みは、導電性が確保できれば良く、０．０１〜１０μｍの範囲で設ける。
【００５７】
透明電極として好適な透明導電性材料は、金属材料に比べて可とう性が小さい。表示面側表示領域に設ける電極をライン状電極とする場合には、透明電極材中での断線防止のため、金属細線と併用することが好ましい。この金属細線の幅は、１μｍ〜１０μｍとすれば表示視認性の妨げとならないので好ましい。背面側や表示領域以外の領域に設ける電極は光透過性を考慮する必要がないので電気抵抗が小さく、可とう性にも優れた前記金属材料が好適に用いられる。
【産業上の利用可能性】
【００５８】
本発明の情報表示用パネルは、電子ＰＯＰ（Point of presence, Point of Purchase advertising）や電子棚札として用いられるほか、ノートパソコン、ＰＤＡ、携帯電話、ハンディターミナル等のモバイル機器の表示部、電子書籍、電子新聞、電子マニュアル（取扱説明書）等の電子ペーパー、看板、ポスター、黒板等の掲示板、電卓、家電製品、自動車用品等の表示部、ポイントカード、ＩＣカード等のカード表示部、電子広告、電子値札、電子楽譜、ＲＦ−ＩＤ機器の表示部や、外部表示書き換え手段と接続して表示書き換えを行う表示部（いわゆるリライタブルペーパー）としても好適に用いられる。
【符号の説明】
【００５９】
１、２  基板
３Ｗ  白色表示媒体
３Ｗａ  白色負帯電性粒子
３Ｂ  黒色表示媒体
３Ｂａ  黒色正帯電性粒子
３Ｒ  赤色表示媒体
３Ｒａ  赤色正帯電性粒子
３Ｙ  黄色表示媒体
３Ｙａ  黄色負帯電性粒子
４  隔壁
５、６  電極
１１、１２、１３、１４、１５  表示領域
【図１】
2010160251.tif 000003
【図２】
2010160251.tif 000004
【図３】
2010160251.tif 000005
【図４】
2010160251.tif 000006
【図５】
2010160251.tif 000007
【図６】
2010160251.tif 000008
【図７】
2010160251.tif 000009
【図８】
2010160251.tif 000010
【図９】
2010160251.tif 000011
【図１０】
2010160251.tif 000012
【図１１】
2010160251.tif 000013
【図１２】
2010160251.tif 000014
【図１３】
2010160251.tif 000015
【図１４】
2010160251.tif 000016
【図１５】
2010160251.tif 000017
【図１６】
2010160251.tif 000018
【図１７】
2010160251.tif 000019